(57)【要約】      （修正有）【課題】カバー部材に窪み部の上方に飛散する爪屑を受止可能な受止収容部が形成されているため、爪切断による爪屑の外部飛散を防ぐことができ、また、爪屑を円滑に廃棄することができ、かつ、カバー部材は輪ゴムにより取付けられているため、カバー部材を容易に取り外すことができ、カバー部材の汎用化が可能となって製作コストの低減を図ることができる爪切りを提供する。【解決手段】一対のアーム部材１・１から構成され、枢軸より先端側に刃部３が形成され、枢軸より基端側に柄部４が形成され、刃部は表面に窪み部が形成されて裏面に刃縁部３ａが形成されてなる爪切りＭに用いられ、上記一対のアーム部材の交差部分１ａの表面に配置され、上記刃部の窪み部の上方を覆って上記刃縁部による爪の切断時に上記窪み部の上方に飛散する爪屑Ｗを受止可能な受止収容部を有するカバー部材Ｋからなる。【選択図】図６
2019208968.tif 000002
【特許請求の範囲】
【請求項１】
Ｘ状に交差配置され、該交差部分に設けた枢軸により開閉自在な一対のアーム部材から構成され、該枢軸より先端側に刃部が形成され、該枢軸より基端側に柄部が形成され、該刃部は表面に窪み部が形成されて裏面に刃縁部が形成されてなる爪切りに用いられ、上記一対のアーム部材の交差部分の表面に配置され、上記刃部の窪み部の上方を覆って上記刃縁部による爪の切断時に上記窪み部の上方に飛散する爪屑を受止可能な受止収容部を有するカバー部材からなり、該カバー部材を上記一対のアーム部材の交差部分に保持可能なゴム線材を環状に形成した輪ゴムが設けられ、該カバー部材に伸長により偏平状とされた該輪ゴムの一方の折返部分を係止する係止部が形成され、かつ、該カバー部材に該輪ゴムの一方の折返部分から他方の折返部分に至るまでの対向並列するゴム線材を係止する係止溝部が形成され、該係止溝部に該対向並列するゴム線材を折曲挟持する折曲挟持部が形成されていることを特徴とする爪屑飛散防止具。
【請求項２】
上記係止溝部に該対向並列するゴム線材をＳ字状に折曲挟持する一対の折曲挟持部が形成されていることを特徴とする請求項１記載の爪屑飛散防止具。
【請求項３】
上記係止部は輪ゴムの一方の折返部分に合致するＵ状溝部に形成されていることを特徴とする請求項１又は２記載の爪屑飛散防止具。
【請求項４】
上記カバー部材の受止収容部の内壁面に爪屑の落下を防ぐ凸部が形成されていることを特徴とする請求項１〜３のいずれか１項に記載の爪屑飛散防止具。
【請求項５】
上記請求項１〜４のいずれか１項に記載の爪屑飛散防止具を備えてなることを特徴とする爪切り。
【発明の詳細な説明】
【技術分野】
【０００１】
本発明は手足の爪切り時に生ずる爪屑の飛散を防ぐ爪屑飛散防止具及びそれを備えた爪切りに関するものである。
【背景技術】
【０００２】
従来、この種の爪屑飛散防止具として、枢軸により開閉自在な一対のアーム部材から構成され、枢軸より先端側に刃部が形成され、枢軸より基端側に柄部が形成されてなるニッパー式爪切りにおいて、上記刃部を覆うカバー部材をアーム部材に装着した構造のものが知られている。
【先行技術文献】
【特許文献】
【０００３】
【特許文献１】特開２００２−３４０号公報
【特許文献２】実開平０１−１７８８７８号公報
【発明の概要】
【発明が解決しようとする課題】
【０００４】
しかしながらこれら従来構造の場合、上記刃部を覆うカバー部材はアーム部材に装着して用いられる構造であるから、カバー部材を各種の爪切りの大きさや形状などの様々な仕様に応じて各種製作する必要があり、さらに、アーム部材に対するカバー部材の装着は厄介であるという不都合を有している。
【課題を解決するための手段】
【０００５】
本発明はこのような不都合を解決することを目的とするもので、本発明のうちで、請求項１記載の発明は、Ｘ状に交差配置され、該交差部分に設けた枢軸により開閉自在な一対のアーム部材から構成され、該枢軸より先端側に刃部が形成され、該枢軸より基端側に柄部が形成され、該刃部は表面に窪み部が形成されて裏面に刃縁部が形成されてなる爪切りに用いられ、上記一対のアーム部材の交差部分の表面に配置され、上記刃部の窪み部の上方を覆って上記刃縁部による爪の切断時に上記窪み部の上方に飛散する爪屑を受止可能な受止収容部を有するカバー部材からなり、該カバー部材を上記一対のアーム部材の交差部分に保持可能なゴム線材を環状に形成した輪ゴムが設けられ、該カバー部材に伸長により偏平状とされた該輪ゴムの一方の折返部分を係止する係止部が形成され、かつ、該カバー部材に該輪ゴムの一方の折返部分から他方の折返部分に至るまでの対向並列するゴム線材を係止する係止溝部が形成され、該係止溝部に該対向並列するゴム線材を折曲挟持する折曲挟持部が形成されていることを特徴とする爪屑飛散防止具にある。
【０００６】
又、請求項２記載の発明は、上記係止溝部に該対向並列するゴム線材をＳ字状に折曲挟持する一対の折曲挟持部が形成されていることを特徴とするものであり、又、請求項３記載の発明は、上記係止部は輪ゴムの一方の折返部分に合致するＵ状溝部に形成されていることを特徴とするものであり、又、請求項４記載の発明は、上記カバー部材の受止収容部の内壁面に爪屑の落下を防ぐ凸部が形成されていることを特徴とするものである。
【０００７】
又、請求項５記載の発明は、上記請求項１〜４のいずれか１項に記載の爪屑飛散防止具を備えてなることを特徴とする爪切りにある。
【発明の効果】
【０００８】
本発明は上述の如く、請求項１又は請求項５記載の発明にあっては、爪切りの一対のアーム部材の交差部分の表面にカバー部材を配置し、カバー部材を輪ゴムにより保持し、一対のアーム部材の柄部を握持し、交差部分に設けた枢軸を中心として開閉動作し、刃部の刃縁部により爪を切断し、爪の切断時に窪み部の上方に爪屑が飛散することになり、この際、上記爪切りの一対のアーム部材の交差部分の表面にカバー部材が配置され、カバー部材に上記窪み部の上方に飛散する爪屑を受止可能な受止収容部が形成されているから、爪の切断を終えた段階で、爪切りから輪ゴムを外し、爪切りからカバー部材を取り外し、カバー部材内の爪屑を廃棄することができ、したがって、爪切断による爪屑の外部飛散を防ぐことができ、爪屑を円滑に廃棄することができ、かつ、カバー部材は輪ゴムにより取付けられているから、カバー部材を容易に取り外すことができると共に爪切り自体に装着する従来構造に比べてカバー部材を各種の爪切りの大きさや形状などの様々な仕様に応じて専用品として各種製作する必要がなくなり、カバー部材の汎用化が可能となって製作コストの低減を図ることができ、この際、上記輪ゴムは弾性を有するゴム線材を環状に形成され、上記カバー部材に伸長により偏平状とされた輪ゴムの一方の折返部分を係止する係止部が形成され、かつ、カバー部材に輪ゴムの一方の折返部分から他方の折返部分に至るまでの対向並列するゴム線材を係止する係止溝部が形成され、係止溝部に対向並列するゴム線材を折曲挟持する折曲挟持部が形成されているから、輪ゴムの一方の折返部分をカバー部材の係止部に係止し、係止部に係止されている輪ゴムを伸長して爪切りの裏面を経由して輪ゴムをカバー部材の上面まで巻回し、輪ゴムの一方の折返部分から他方の折返部分に至るまでの対向並列するゴム線材をカバー部材の上面の係止溝部に挿入して係止し、係止溝部の折曲挟持部により輪ゴムの対向並列するゴム線材を折曲挟持することができ、爪切りに輪ゴムによりカバー部材を容易に取り付けることができると共に輪ゴムを持ち上げて係止溝部の折曲挟持部から離脱することにより爪切りからカバー部材を容易に取り外すことができ、爪屑を飛散させずに爪切りを容易に行うことができる。
【０００９】
又、請求項２記載の発明にあっては、上記係止溝部に対向並列するゴム線材をＳ字状に折曲挟持する一対の折曲挟持部が形成されているから、係止溝部の折曲挟持部により輪ゴムの対向並列するゴム線材を確実に折曲挟持することができ、又、請求項３記載の発明にあっては、上記係止部は輪ゴムの一方の折返部分に合致するＵ状溝部に形成されているから、輪ゴムの一方の折返部分をカバー部材の係止部に確実に係止することができると共に輪ゴムの新規使用時やゴムの劣化に伴う輪ゴムの交換を容易に行うことができ、又、請求項４記載の発明にあっては、上記カバー部材の受止収容部の内壁面に爪屑の落下を防ぐ凸部が形成されているから、カバー部材を爪切りに配置している状態において確実に爪屑の落下を防ぐことができ、かつ、上記爪切りの一対のアーム部材の交差部分の表面に対向する部分の内壁面には凸部が形成されていないので、凸部が存在しないことにより受止収容部内からの爪屑の排出を円滑に行うことができる。
【図面の簡単な説明】
【００１０】
【図１】本発明の実施の第一形態例の表側の全体斜視図である。
【図２】本発明の実施の第一形態例の裏側の全体斜視図である。
【図３】本発明の実施の第一形態例の平面図である。
【図４】本発明の実施の第一形態例の裏面図である。
【図５】本発明の実施の第一形態例の断面図である。
【図６】本発明の実施の第一形態例の使用状態の斜視図である。
【図７】本発明の実施の第一形態例の全体平面図である。
【図８】本発明の実施の第一形態例の使用状態の平面図である。
【図９】本発明の実施の第一形態例の使用状態の側面図である。
【図１０】本発明の実施の第二形態例の表側の全体斜視図である。
【図１１】本発明の実施の第二形態例の裏側の全体斜視図である。
【図１２】本発明の実施の第二形態例の平面図である。
【図１３】本発明の実施の第二形態例の裏面図である。
【図１４】本発明の実施の第二形態例の断面図である。
【図１５】本発明の実施の第二形態例の使用状態の斜視図である。
【図１６】本発明の実施の第二形態例の全体平面図である。
【図１７】本発明の実施の第二形態例の使用状態の平面図である。
【図１８】本発明の実施の第二形態例の使用状態の側面図である。
【発明を実施するための形態】
【００１１】
図１乃至図１８は本発明の実施の形態例であって、図１乃至図９は第一形態例、図１０乃至図１８は第二形態例である。
【００１２】
図１乃至図９の第一形態例において、Ｍは爪切りであって、この場合、図７の如く、金属製にして、Ｘ状に交差配置され、交差部分１ａに設けた枢軸２により開閉自在な一対のアーム部材１・１から構成され、枢軸２より先端側に刃部３が形成され、枢軸２より基端側に柄部４が形成され、刃部３は表面に窪み部５が形成されて裏面に刃縁部３ａ・３ａが形成され、一対のアーム部材１・１間に図示省略のバネが架設され、所謂、ニッパー式の爪切りとなっている。
【００１３】
Ｋはカバー部材であって、合成樹脂製にして、この場合、図１、図２、図３、図４、図５の如く、上記爪切りＭの一対のアーム部材１・１の交差部分１ａの表面に配置され、上記刃部３の窪み部５の上方を覆って上記刃縁部３ａ・３ａによる爪の切断時に上記窪み部５の上方に飛散する爪屑Ｗを受止可能な受止収容部Ｋ１が形成され、略四角箱状に形成され、又、この場合、図２、図４、図５の如く、上記カバー部材Ｋの受止収容部Ｋ１の上記窪み部５に対向する部分の内壁面にのみ爪屑Ｗの落下を防ぐ凸部Ｋ２が形成され、上記爪切りＭの一対のアーム部材１・１の交差部分１ａの表面に対向する部分の内壁面には凸部Ｋ２が形成されず、この凸部Ｋ２が存在しないことにより受止収容部Ｋ１内からの爪屑Ｗの排出を円滑に行うようにしている。
【００１４】
Ｇは輪ゴムであって、この場合、図１、図６の如く、弾性を有するゴム線材Ｇ１を環状に形成してなる、所謂、市販の輪ゴムからなり、上記カバー部材Ｋを上記一対のアーム部材１・１の交差部分１ａに保持することになる。
【００１５】
そして、この場合、図１、図３、図６、図８、図９の如く、上記カバー部材Ｋに伸長により偏平状とされた輪ゴムＧの一方の折返部分Ｕｉを係止する係止部６が形成され、かつ、カバー部材Ｋに輪ゴムＧの一方の折返部分Ｕｉから他方の折返部分Ｕｔに至るまでの対向並列するゴム線材Ｇ１・Ｇ１を係止する係止溝部７が形成され、係止溝部７に対向並列するゴム線材Ｇ１・Ｇ１を折曲挟持する折曲挟持部７ａが形成されている。
【００１６】
又、この場合、図１、図６、図８、図９の如く、上記係止溝部７に対向並列するゴム線材Ｇ１・Ｇ１をＳ字状に折曲挟持する一対の折曲挟持部７ａ・７ａが形成され、又、この場合、図３、図６、図８の如く、上記係止部６は輪ゴムＧの一方の折返部分Ｕｉに合致するＵ状溝部６ａに形成されて中心に係止杆部６ｂが形成され、又、この場合、図２の如く、上記カバー部材Ｋの受止収容部Ｋ１の上記窪み部５に対向する部分の内壁面にのみ爪屑Ｗの落下を防ぐ凸部Ｋ２が形成されている。
【００１７】
この実施の第一形態例は上記構成であるから、図６、図８、図９の如く、爪切りＭの一対のアーム部材１・１の交差部分１ａの表面にカバー部材Ｋを配置し、カバー部材Ｋを輪ゴムＧにより保持し、一対のアーム部材１・１の柄部４を握持し、交差部分１ａに設けた枢軸２を中心として開閉動作し、刃部３・３の刃縁部３ａ・３ａにより爪を切断し、爪の切断時に窪み部５の上方に爪屑Ｗが飛散することになり、この際、上記爪切りＭの一対のアーム部材１・１の交差部分１ａの表面にカバー部材Ｋが配置され、カバー部材Ｋに上記窪み部５の上方に飛散する爪屑Ｗを受止可能な受止収容部Ｋ１が形成されているから、爪の切断を終えた段階で、爪切りＭから輪ゴムＧを外し、爪切りＭからカバー部材Ｋを取り外し、カバー部材Ｋ内の爪屑Ｗを廃棄することができ、したがって、爪切断による爪屑Ｗの外部飛散を防ぐことができ、爪屑Ｗを円滑に廃棄することができ、かつ、カバー部材Ｋは輪ゴムＧにより取付けられているから、カバー部材Ｋを容易に取り外すことができると共に爪切りＭ自体に装着する従来構造に比べてカバー部材Ｋを各種の爪切りＭの大きさや形状などの様々な仕様に応じて専用品として各種製作する必要がなくなり、カバー部材Ｋの汎用化が可能となって製作コストの低減を図ることができる。
【００１８】
この場合、図１、図６の如く、上記輪ゴムＧは弾性を有するゴム線材Ｇ１を環状に形成してなり、かつ、この場合、図１、図６、図８の如く、上記カバー部材Ｋに伸長により偏平状とされた輪ゴムＧの一方の折返部分Ｕｉを係止する係止部６が形成され、かつ、カバー部材Ｋに輪ゴムＧの一方の折返部分Ｕｉから他方の折返部分Ｕｔに至るまでの対向並列するゴム線材Ｇ１・Ｇ１を係止する係止溝部７が形成され、係止溝部７に対向並列するゴム線材Ｇ１・Ｇ１を折曲挟持する折曲挟持部７ａが形成されているから、図６の如く、輪ゴムＧの一方の折返部分Ｕｉをカバー部材Ｋの係止部６に係止し、図６の如く、係止部６に係止されている輪ゴムＧを伸長して爪切りＭの裏面を経由して輪ゴムＧをカバー部材Ｋの上面まで巻回し、輪ゴムＧの一方の折返部分Ｕｉから他方の折返部分Ｕｔに至るまでの対向並列するゴム線材Ｇ１・Ｇ１をカバー部材Ｋの上面の係止溝部７に挿入して係止し、係止溝部７の折曲挟持部７ａにより輪ゴムＧの対向並列するゴム線材Ｇ１・Ｇ１を折曲挟持することができ、爪切りＭに輪ゴムＧによりカバー部材Ｋを容易に取り付けることができると共に輪ゴムＧを持ち上げて係止溝部７の折曲挟持部７ａから離脱することにより爪切りＭからカバー部材Ｋを容易に取り外すことができ、爪屑Ｗを飛散させずに爪切りを容易に行うことができる。
【００１９】
又、この場合、図１、図３、図６の如く、上記係止溝部７に対向並列するゴム線材Ｇ１・Ｇ１をＳ字状に折曲挟持する一対の折曲挟持部７ａ・７ａが形成されているから、係止溝部７の折曲挟持部７ａ・７ａにより輪ゴムＧの対向並列するゴム線材Ｇ１・Ｇ１を確実に折曲挟持することができ、又、この場合、図３、図６の如く、上記係止部６は輪ゴムＧの一方の折返部分Ｕｉに合致するＵ状溝部６ａに形成されて中心に係止杆部６ｂが形成されているから、輪ゴムＧの一方の折返部分Ｕｉをカバー部材Ｋの係止部６に確実に係止することができると共に輪ゴムＧの新規使用時やゴムの劣化に伴う輪ゴムＧの交換を容易に行うことができ、又、この場合、図２の如く、上記カバー部材Ｋの受止収容部Ｋ１の内壁面に爪屑Ｗの落下を防ぐ凸部Ｋ２が形成されているから、カバー部材Ｋを爪切りＭに配置している状態において確実に爪屑Ｗの落下を防ぐことができ、かつ、上記爪切りＭの一対のアーム部材１・１の交差部分１ａの表面に対向する部分の内壁面には凸部Ｋ２が形成されていないので、凸部Ｋ２が存在しないことにより受止収容部Ｋ１内からの爪屑Ｗの排出を円滑に行うことができる。
【００２０】
図１０乃至図１８の第二形態例は別例構造を示し、上記第一形態例のものと同一態様部分については同符号を付して説明を適宜省略援用する。
【００２１】
この場合、図１６の如く、上記爪切りＭの一対のアーム部材１・１の交差部分１ａの表面と上記刃部３の窪み部５との間に段差１ｂが形成され、この段差１ｂに応じて、図１０、図１１、図１４の如く、上記カバー部材Ｋに段差部Ｄが形成され、しかして、上記爪切りＭの一対のアーム部材１・１の交差部分１ａの表面に配置され、上記刃部３の窪み部５の近接上方を覆って上記刃縁部３ａ・３ａによる爪の切断時に上記窪み部５の上方に飛散する爪屑Ｗを受止可能な受止収容部Ｋ１が形成され、段付略四角箱状に形成されている。
【００２２】
そして、この場合、図１０、図１２、図１５、図１７、図１８の如く、第一形態例と同様に、上記カバー部材Ｋに伸長により偏平状とされた輪ゴムＧの一方の折返部分Ｕｉを係止する係止部６が形成され、かつ、カバー部材Ｋに輪ゴムＧの一方の折返部分Ｕｉから他方の折返部分Ｕｔに至るまでの対向並列するゴム線材Ｇ１・Ｇ１を係止する係止溝部７が形成され、係止溝部７に対向並列するゴム線材Ｇ１・Ｇ１を折曲挟持する折曲挟持部７ａが形成されている。
【００２３】
又、この場合、図１０、図１５、図１７の如く、上記係止溝部７に対向並列するゴム線材Ｇ１・Ｇ１をＳ字状に折曲挟持する一対の折曲挟持部７ａ・７ａが形成され、又、この場合、図１５、図１７の如く、上記係止部６は輪ゴムＧの一方の折返部分Ｕｉに合致するＵ状溝部６ａに形成されて中心に係止杆部６ｂが形成され、又、この場合、図１１、図１３、図１４の如く、上記カバー部材Ｋの受止収容部Ｋ１の上記窪み部５に対向する部分の内壁面にのみ爪屑Ｗの落下を防ぐ凸部Ｋ２が形成され、上記爪切りＭの一対のアーム部材１・１の交差部分１ａの表面に対向する部分の内壁面には凸部Ｋ２が形成されず、この凸部Ｋ２が存在しないことにより受止収容部Ｋ１内からの爪屑Ｗの排出を円滑に行うようにしている。
【００２４】
この第二形態例にあっては、上記第一形態例と同様な作用効果を奏することができる。
【００２５】
尚、本発明は上記実施の形態例に限られるものではなく、例えば、アーム部材１、枢軸２、刃部３、柄部４、窪み部５、係止部６、係止溝部７の構造等は適宜変更して設計される。
【００２６】
以上、所期の目的を充分達成することができる。
【符号の説明】
【００２７】
Ｍ    爪切り
Ｋ    カバー部材
Ｋ１    受止収容部
Ｋ２    凸部
Ｗ    爪屑
Ｇ    輪ゴム
Ｇ１    ゴム線材
Ｕｉ    折返部分
Ｕｔ    折返部分
１    アーム部材
１ａ    交差部分
２    枢軸
３    刃部
３ａ    刃縁部
４    柄部
５    窪み部
６    係止部
６ａ    Ｕ状溝部
７    係止溝部
７ａ    折曲挟持部
【図１】
2019208968.tif 000003
【図２】
2019208968.tif 000004
【図３】
2019208968.tif 000005
【図４】
2019208968.tif 000006
【図５】
2019208968.tif 000007
【図６】
2019208968.tif 000008
【図７】
2019208968.tif 000009
【図８】
2019208968.tif 000010
【図９】
2019208968.tif 000011
【図１０】
2019208968.tif 000012
【図１１】
2019208968.tif 000013
【図１２】
2019208968.tif 000014
【図１３】
2019208968.tif 000015
【図１４】
2019208968.tif 000016
【図１５】
2019208968.tif 000017
【図１６】
2019208968.tif 000018
【図１７】
2019208968.tif 000019
【図１８】
2019208968.tif 000020